(57)【特許請求の範囲】
【請求項１】
横桟の起立フインをその起立幅の全長に亘るように平行の細溝状に切欠加工して配設した一対の縦スリットと，該一対の縦スリットに上記起立フインの切欠側縁部を前後突条によって被嵌した縦桟の長手方向全長にして両側一対の接合条と，上記起立フインの切欠側縁部と接合条の両側でその前後突条をプレス圧によって接合したプレス接合部とを備え且つ上記縦桟の長手方向端縁を横桟に突き当てることによって縦桟の転びを防止するとともに上記プレス接合部を上記起立フィンの起立高さ内位置で上記起立フィンと前後突条をその上下端破断の前後波状に交差突没した波状交差接合部としてなることを特徴とする桟組体の桟接合装置。
【請求項２】
上記横桟及び縦桟を，アルミ薄板のフォーミング材による成型外皮と，該成型外皮に充填した合成樹脂材とにより中実に形成するとともに起立フイン及び接合条を該横桟及び縦桟に一体にして上記アルミ薄板折曲重合のフォーミング材により形成してなることを特徴とする請求項１に記載の桟組体の桟接合装置。
【請求項３】
上記横桟及び縦桟を，アルミ押出材により形成してなることを特徴とする請求項１に記載の桟組体の桟接合装置。
【発明の詳細な説明】
【０００１】
【発明の属する技術分野】
本発明は，フェンス，面格子等の桟組体に関し，特にその桟接合装置に関する。
【０００２】
【従来の技術】
この種桟組体の桟接合装置は，例えば実公平２−１４０５号の如くに，横桟の起立フインをその起立幅の全長に亘るように細溝状に切欠加工するとともに，その中間位置を一側に拡開するように矩形状に切欠加工した一対の拡開切欠部と，該一対の拡開切欠部に上記起立フインの切欠側縁部を上下部分的に前後突条によって被嵌して挿入した縦桟両側一対の接合条と，上記被嵌状態で上記拡開切欠部の拡開部位に対して接合条の上記突条をポンチ等の工具で変形して嵌入接合したポンチ変形部とを備えてなるものとされている。
【０００３】
【発明が解決しようとする課題】
しかし乍らこの場合，横桟と縦桟の接合は，拡開切欠部の拡開部位に対する接合条の突条に対するポンチによる変形に依存することになるところ，この種の桟に用いられるアルミ押出材の肉厚を考慮すると，上記突条の変形は，これを片側で行った場合には１mm程度乃至それ以下，両側で行った場合には０．５mm程度乃至それ以下の浅い点状のものとならざるを得ず，従って変形による嵌入接合は，極く浅い状態で点状の変形部分が拡開部位の端縁に引掛り状となることによって行われることになるから，この種桟組体において必ずしも充分な接合強度を確保し得るものとはなし得ず，特にポンチによる変形位置が狂ったり，拡開部位の大きさに対してポンチによる変形幅が小さくなったりした場合には，接合不良を招いて，接合強度を確保し得なくなるという問題点があり，更には拡開切欠部の切欠加工が煩雑化したり，ポンチによる変形位置の位置出しを精密に行う必要があるから，嵌入接合が同じく煩雑化し易いという問題点がある。
【０００４】
本発明はかかる事情に鑑みてなされたもので，その解決課題とする処は，生産が容易で充分な接合強度を確保し得る桟組体の桟接合装置を提供するにある。
【０００５】
【課題を解決するための手段】
上記第１の課題に添って本発明は，生産を容易化するために切欠加工を起立フインに対する平行の細溝状とすることによる一対の縦スリットを用い，接合強度を確保し，接合の精密性を解消するために，縦桟の長手方向端縁を横桟に突き当てて転びを防止するとともに起立フィンの起立高さ位置で上下端を破断した前後の波状交差接合部として横桟と縦桟の接合を行なうようにしたものであって，即ち請求項１に記載の発明を，横桟の起立フインをその起立幅の全長に亘るように平行の細溝状に切欠加工して配設した一対の縦スリットと，該一対の縦スリットに上記起立フインの切欠側縁部を前後突条によって被嵌した縦桟の長手方向全長にして両側一対の接合条と，上記起立フインの切欠側縁部と接合条の両側でその前後突条をプレス圧によって接合したプレス接合部とを備え且つ上記縦桟の長手方向端縁を横桟に突き当てることによって縦桟の転びを防止するとともに上記プレス接合部を上記起立フィンの起立高さ内位置で上記起立フィンと前後突条をその上下端破断の前後波状に交差突没した波状交差接合部としてなることを特徴とする桟組体の桟接合装置としたものである。
【０００６】
請求項２及び３に記載の発明は，それぞれ上記横桟及び縦桟の形態を示すものとするように，請求項２に記載の発明を，上記横桟及び縦桟を，アルミ薄板のフォーミング材による成型外皮と，該成型外皮に充填した合成樹脂材とにより中実に形成するとともに起立フイン及び接合条を該横桟及び縦桟に一体にして上記アルミ薄板折曲重合のフォーミング材により形成してなることを特徴とする請求項１に記載の桟組体の桟接合装置とし，請求項３に記載の発明を，上記横桟及び縦桟を，アルミ押出材により形成してなることを特徴とする請求項１に記載の桟組体の桟接合装置としたものである。
【０００７】
本発明はこれらをそれぞれ発明の要旨として，上記課題解決の手段としたものである。
【０００８】
【発明の実施の形態】
以下実施例を示す図面に従って本発明を更に説明すれば，Ａはフェンス用とした桟組体，１はその上下の横桟，２はこれら上下の横桟１間に配設した多数の縦桟であり，本例にあって横桟１及び縦桟２は，アルミ薄板のフォーミング材による成型外皮３と，該成型外皮３に充填した合成樹脂材４とにより中実に形成し，横桟１は起立フイン５を，縦桟２はその両側に一対の接合条９を備えたものとし，該起立フイン５及び接合条９は，これを上記横桟１及び縦桟２に一体にして上記アルミ薄板折曲重合のフォーミング材により形成してなるものとしてある。
【０００９】
即ち本例の横桟１は，例えば０．５mm厚の，縦桟２は，例えば０．１５mm厚のアルミ合金のアルミ薄板にロールフォーミングによるフォーミング加工を施すことによってロールフォーミング成型の成型外皮３を形成するとともにロールフォーミングの最終段階のアルミ薄板の折曲接合直前に該折曲接合部位の未接合開口からノズルを挿入して，例えばウレタン発泡樹脂による発泡性の合成樹脂材４を注入して成型外皮３内で発泡充填することによって，これを成型外皮３に接着硬化した横桟１，縦桟２における強度要素の芯体としたものとしてある。
【００１０】
このとき横桟１は，その上下面一方の対向面中央を上記折曲接合部位として成型外皮３のロールフォーミングを行ってあり，該折曲接合部位において１mm厚の上記起立フイン５を，縦桟２は，その両側面一方の側面中央を同じく上記折曲接合部位として成型外皮３のロールフォーミングを行ってあり，該折曲接合部位及びこれに対応する他方側面中央にそれぞれ上記接合条９を，これら成型外皮３と一体にロールフォーミングによって形成してあり，上記起立フイン５は，アルミ薄板の一側端を上下方向にハゼ折り状に起立突設する一方，その先端を，アルミ薄板他側端を成型外皮３内でレ字状に折曲することによって設置した係止部に対して弾発的に係止することにより長手方向全長に起立形成し，また上記接合条９は，一方の側面においてアルミ薄板の両側端を左右方向に同じくハゼ折り状にして，上記起立フイン５の肉厚に相応した１mm間隔にして各０．３mm厚の前後突条１０を形成するとともに，一側端の先端を，他側端を成型外皮３内で同じくレ字状に折曲することによって設置した係止部に対して弾発的に係止することによって前後突条１０間に１mm幅の嵌入溝１１を有するコ字状乃至これに近似形状の接合条９を長手方向全長に突出形成するとともに他方の側面に一連にして同形状の接合条９をロールフォーミングによって同じく長手方向に突出形成したものとしてある。
【００１１】
このように形成した横桟１と縦桟２の桟接合は，横桟１の起立フイン５をその起立幅の全長に亘るように平行の細溝状に切欠加工して配設した一対の縦スリット６と，該一対の縦スリット６に上記起立フイン５の切欠側縁部を前後突条１０によって被嵌した縦桟２の長手方向全長にして両側一対の接合条９と，上記起立フイン５の切欠側縁部と接合条９の両側でその前後突条１０をプレス圧によって接合したプレス接合部１２とを備え且つ上記縦桟２の長手方向端縁を横桟１に突き当てることによって縦桟２の転びを防止するとともに上記プレス接合部１２を上記起立フィン５の起立高さ内位置で上記起立フィン５と前後突条１０をその上下端破断の前後波状に交差突没した波状交差接合部としたものとしてある。
【００１２】
本例にあって縦スリット６は，縦桟２の配設位置毎に，中間に起立フイン５を残存した起立フイン５による起立フイン舌片７を区画形成するように垂直平行にして長手方向に同幅の細溝による垂直平行にして起立高さの全長に亘る細溝状のスリットによるものとしてあり，該一対の縦スリット６に対する接合条９の挿入は，縦桟１の長手方向端部において，例えば振動カッターによって上記合成樹脂材４を除去して配設した挿入スリット８に上記起立フイン舌片７を受入れるとともに一対の縦スリット６に接合条９，特にその前後突条１０間を仕切る仕切壁たる縦桟側壁部位を受入れるようにして行うものとし，これにより起立フイン５の縁部を嵌入溝１１に嵌入して，接合条９の前後突条１０がそれぞれ起立フイン５の縦スリット６側，即ち切欠側の縁部をその全長に亘って受入れて，これを被嵌するものとしてある。
【００１３】
更に波状交差接合部のプレス接合部１２は，図示省略のプレス装置を用いて，上記被嵌状態で左右方向矩形波状のプレス圧を，起立フイン５の起立高さの範囲内で，これに納まるように部分的にして前後方向に加えて，起立フイン５の切欠側縁部と接合条９の前後突条１０との３者を，前後方向部分的に密着同時変形により重合一体化するようにする一方，矩形波状の平面形状とプレス変形時のプレス圧とによって，波状交差接合部の上下端をプレス金型に添うそれぞれ線状をなすように破断し，これを左右端を前後突条１０に一体支持した状態で破断変形した波状交差体とするように前後突条１０面よりその前後方向に交差突没した，プレス成型による波状交差接合部をなすものとしてあり，このとき該波状交差接合部のプレス接合部１２は，例えば波径を半径１．９mm，ピッチを６mmとして，接合条の厚さ１．６mmに対して前後の変形幅を２．２mmとなるようにすることによって行ったものとしてある。
【００１４】
本例の桟組体Ａにあって，起立フイン５の縦スリット６切欠加工は，平行の細溝状にして比較的単純形状であり，また上記波状交差接合部のプレス接合部１２の位置は，起立フイン５の起立高さ内で部分的であればよく，プレス位置の精密性を特に必要としないので，生産が容易であるとともに，縦桟２は，それぞれ上下の横桟１間に，その長手方向端縁を突当てることによってその転びを防止し，プレス成形部１２を，起立フイン５の起立高さ全長に亘って接合条９を被嵌して，その上下端破断の前後波状に交差突没した波状交差接合部としたことによって交差引掛り性を得て引抜き力や捩れ力に対して大きな強度を有するようにし，外力に対して充分な接合強度を確保して，強固且つ確実な接合を行なって，上記アルミ薄板のフォーミング材を用い乍らも充填した合成樹脂材を強度要素とした横桟１，縦桟２の桟強度と相俟って，桟組体Ａの強度を充分に確保したものとすることができる。
【００１５】
図示した例は以上のとおりとしたが，上記横桟及び縦桟を，薄肉のアルミ押出材による成型外皮と，該成型外皮に充填した合成樹脂材とにより中実に形成するとともに起立フイン及び接合条を該横桟及び縦桟に一体成型したアルミ押出材により形成し且つ上記接合条を薄肉に形成したものとすることができ，この場合も，上記アルミ薄板のフォーミング材を用いた場合と同様に充分な桟強度と接合強度を備えたものとできるとともに薄肉の接合条を用いることによりプレス成型部の成型接合を馴染みよく容易にして確実に行う好適なものとすることができる。
【００１６】
更に上記横桟及び縦桟を，アルミ押出材により形成したものとすることを含めて本発明の実施に当って，その具体的形態は，上記発明の要旨に反しない限り様々に変更することができる。
【００１７】
【発明の効果】
本発明は以上のとおりに構成したので，起立フインの縦スリット切欠加工は，平行の細溝状にして比較的単純形状であり，また上記波状交差接合部のプレス接合部の位置は，起立フインの起立高さ内で部分的であればよく，プレス位置の精密性を特に必要としないので，生産が容易であるとともに，縦桟は，それぞれ上下の横桟間に，その長手方向端縁を突当てることによってその転びを防止し，プレス成形部を，起立フインの起立高さ全長に亘って接合条を被嵌して，その上下端破断の前後波状に交差突没した波状交差接合部としたことによって交差引掛り性を得て引抜き力や捩れ力に対して大きな強度を有するようにし，外力に対して充分な接合強度を確保して，強固且つ確実な接合をなし得る桟組体の桟接合装置を提供することができる。
【図面の簡単な説明】
【図１】  桟組体の部分正面図
【図２】  横桟と縦桟との配置状態を示す分解斜視図
【図３】  横桟と縦桟との接合状態を示す斜視図
【図４】  横桟と縦桟との配置状態を示す部分正面図
【図５】  横桟と縦桟の接合状態を示す横断面図
【図６】  横桟と縦桟の接合状態を示す縦断面図
【図７】  波状交差接合部を示す拡大横断面図
【符号の説明】
Ａ  桟組体
１  横桟
２  縦桟
３  成型外皮
４  合成樹脂材
５  起立フイン
６  縦スリット
７  起立フイン舌片
８  挿入スリット
９  接合条
１０  突条
１１  嵌入溝
１２  波状交差接合部
【図１】
0003708592.tif 000002
【図２】
0003708592.tif 000003
【図３】
0003708592.tif 000004
【図４】
0003708592.tif 000005
【図５】
0003708592.tif 000006
【図６】
0003708592.tif 000007
【図７】
0003708592.tif 000008